(57)【要約】      （修正有）【課題】迅速かつ確実に容器に装着し、解放できるように化粧品塗布器具をさらに改良する。【解決手段】人のケラチン物質に化粧品を塗布するための器具に関し、該器具は、長手方向軸Ｘを有するアプリケータであって、把持部分１６、アプリケータ部材、及び、把持部分１６をアプリケータ部材に接続し、結合部分６４を備える軸部６を備えるアプリケータと、アプリケータを収容するように構成された容器２であって、本体、及び、本体に取り付けられ、少なくとも１つのロック部材４１を備えた回転部材４であって、少なくとも１つのロック部材４１が軸部６の結合部分６４と協働することによってアプリケータが容器から引き出されるのを阻止するロック位置と、アプリケータと容器の分離を可能にするアンロック位置との間で、回転軸Ｚの周りで本体２および結合部分６４に対して回転可能である回転部材４を備える容器２とを備える。【選択図】図２
2018191887.tif 000002
【特許請求の範囲】
【請求項１】
人のケラチン物質に化粧品を塗布するための器具（２０）であって、
長手方向軸（Ｘ）を有するアプリケータ（１０）であって、
把持部分（１６）、
アプリケータ部材（２６）、及び、
前記把持部分（１６）を前記アプリケータ部材（２６）に接続し、結合部分（６４）を備える軸部（６）、
を備えるアプリケータ（１０）と、
前記アプリケータ（１０）を収容するように構成された容器（２）であって、
本体（１２）、及び、
前記本体（１２）に取り付けられ、少なくとも１つのロック部材（４１）を備えた回転部材（４）であって、前記少なくとも１つのロック部材（４１）が前記軸部（６）の前記結合部分（６４）と協働することによって前記アプリケータ（１０）が前記容器（１２）から引き出されるのを阻止するロック位置と、前記アプリケータ（１０）と前記容器（１２）の分離を可能にするアンロック位置との間で、回転軸（Ｚ）の周りで前記本体（２）および前記結合部分（６４）に対して回転可能である回転部材（４）
を備える容器（２）と、
を備える器具（２０）。
【請求項２】
前記回転部材（４）が、前記容器（１２）のネック（２２）に固定された支持要素（５）を介して前記容器（２）に取り付けられ、前記回転部材（４）が、前記支持要素（５）上で軸方向に保持されながら前記支持要素（５）に対して回転可能である、請求項１に記載の器具（２０）。
【請求項３】
前記支持要素（５）が、前記容器（１２）の前記ネック（２２）にスナップ嵌合される、請求項２に記載の器具（２０）。
【請求項４】
前記軸部（６）が、前記容器（１２）を気密式に閉じるように構成された密閉部分（６３）を備える、請求項１から３のいずれか一項に記載の器具（２０）。
【請求項５】
前記容器（１２）のネック（２２）に固定された拭き取り部材（３）を備え、前記拭き取り部材（３）が、前記軸部（６）の前記密閉部分（６４）を少なくとも部分的に収容するための開口（３５）を備える、請求項４に記載の器具（２０）。
【請求項６】
前記密閉部分（６３）が前記結合部分（６４）の下に据えられる、請求項１から５のいずれか一項に記載の器具（２０）。
【請求項７】
前記軸部（６）が、前記密閉部分（６３）と前記アプリケータ部材（２６）との間のその長さの少なくとも一部分に沿って、前記アプリケータ（１０）の前記長手方向軸（Ｘ）に直交するように切り取られた細長い形状の断面を有する、請求項１から６のいずれか一項に記載の器具（２０）。
【請求項８】
前記結合部分（６４）が２つのリブ（６４）を備え、前記２つのリブ（６４）が、前記アプリケータ部材（２６）の中央の面に対して対称である、請求項１から７のいずれか一項に記載の器具（２０）。
【請求項９】
前記２つのリブ（６４）が、前記２つのリブ（６４）の中央の扇形部分（Ｓ）に近づくにつれて大きくなり、前記２つのリブ（６４）の両端（６７）に近づくにつれて小さくなる、前記アプリケータ部材の半径方向に沿って測定された深さ（ｒ）を有する、請求項８に記載の器具（２０）。
【請求項１０】
前記アプリケータの前記長手方向軸（Ｘ）に直交する方向で見たとき、前記２つのリブ（６４）の上面（６９）が弓形の外形である、請求項８または９に記載の器具（２０）。
【請求項１１】
前記回転軸（Ｚ）を中心として互いに対して対称的に配置された２つのロック部材（４１）を備える、請求項１から９のいずれか一項に記載の器具（２０）。
【請求項１２】
前記アプリケータ（１０）の前記長手方向軸（Ｘ）に沿って観察したとき、前記把持部分（１６）が平坦な形状を有する、請求項１から１１のいずれか一項に記載の器具（２０）。
【請求項１３】
請求項１から１１のいずれか一項に記載の包装およびアプリケータ器具（２０）を用いて人のケラチン物質に化粧品を塗布するための方法であって、
容器（１２）の中にアプリケータ（１０）を差し込むステップと、
前記容器（１２）に対して回転部材（４）を回転させることで、少なくとも１つのロック部材（４１）を結合部分（６４）と係合させ、前記アプリケータ（１０）を前記器具のロック位置にロックするステップと、
を含む方法。
【発明の詳細な説明】
【技術分野】
【０００１】
本発明は、化粧品を塗布するための器具に関する。
【背景技術】
【０００２】
ＥＰ２７３４０８０は、液体容器と、液体容器を閉じるためのアプリケータ組立体とを備えるシステムを開示している。このシステムは、アプリケータ組立体の閉鎖要素の上および液体容器の上にそれぞれ配置される保持手段を備える。保持手段は、アプリケータ組立体が液体容器の中に保持されるアクティブ構成と、アプリケータ組立体が弾性要素によって液体容器から押し出される非アクティブ構成の間を移動することが可能である。システムはさらに、その作動によってシステムに非アクティブ構成を採らせる解放デバイスを備える。
【０００３】
ＦＲ２８３３８１８は、その中で液体容器とアプリケータが伝達要素を介して回転可能に結合された本体を備える器具を開示している。アプリケータを緩めて本体から分離させる際、液体容器は開放位置になる。
【０００４】
ＵＳ２０１５／０２５０２９２は、チューブ式の化粧用容器に関し、この中で回転体の回転に従って持ち上げ部材が上下することで、ノズルを隠したり、塗布するために露出させたりする。
【０００５】
ＦＲ２９３９２８７およびＣＮ２０１１９２１６０は、この器具の液体容器に対して高い位置と低い位置の間でアプリケータを移動させるための誘導スロットを備える化粧用器具を開示している。
【０００６】
ＫＲ２０１２０００５３６３は、複数の液体容器と、対応する液体容器の中に含まれる製品を装填するために液体容器の各々に固定することができるアプリケータとを備えるキットを開示している。
【０００７】
ＥＰ１８００５６１、ＦＲ２９６８５１６、ＫＲ２０１５０１１８５２８およびＫＲ２０１５００８７０３６は、内部でアプリケータを取り外し可能な方法で液体容器に固定することができる器具を開示している。
【先行技術文献】
【特許文献】
【０００８】
【特許文献１】ＥＰ２７３４０８０
【特許文献２】ＦＲ２８３３８１８
【特許文献３】ＵＳ２０１５／０２５０２９２
【特許文献４】ＦＲ２９３９２８７
【特許文献５】ＣＮ２０１１９２１６０
【特許文献６】ＫＲ２０１２０００５３６３
【特許文献７】ＥＰ１８００５６１
【特許文献８】ＦＲ２９６８５１６
【特許文献９】ＫＲ２０１５０１１８５２８
【特許文献１０】ＫＲ２０１５００８７０３６
【発明の概要】
【発明が解決しようとする課題】
【０００９】
本発明は、迅速かつ確実にアプリケータを容器に装着し、かつそれを解放することができるように化粧品を塗布するための器具をさらに改良することを目指し、また化粧品を塗布するのに役立つアプリケータ部材の設計に関する多くの可能性を提供する。
【課題を解決するための手段】
【００１０】
第１の態様によると、本発明は、人のケラチン物質、例えば皮膚またはまつげなどに化粧品を塗布するための器具を提供し、この器具は
長手方向軸を有するアプリケータであって、
把持部分、
アプリケータ部材、及び、
把持部分をアプリケータ部材に接続し、結合部分を備える軸部、
を備えるアプリケータと、
アプリケータを収容するように構成された容器であって、
化粧品を中に含むための本体、及び、
本体に取り付けられ、少なくとも１つのロック部材を備えた回転部材であって、少なくとも１つのロック部材が軸部の結合部分と協働することによってアプリケータが容器から引き出されるのを阻止するロック位置と、アプリケータと容器の分離を可能にするアンロック位置との間で、回転軸の周りで本体および結合部分に対して回転可能である回転部材
を備える容器と、を備える。
【００１１】
本発明は、器具を容易に開閉することを実現するためにコンパクトな構造を提供することを可能にする。器具は、所望であれば、片手だけで容易に開封し、ロックされるように構成されてよい。
【００１２】
さらに、アプリケータの軸部に結合部分を設けることによって、本発明は、把持部分に対して設計のより大きな自由度を提供し、把持部分は、少なくとも１つのロック部材との直接的な相互作用を全く持たない場合もある。
【００１３】
例えば、平坦で比較的薄い把持部分を有することが可能である。
【００１４】
回転部材は、例えば容器のネックに固定された支持要素を介して容器に取り付けられてよい。支持要素は、本体に対して可動でなくてよく、例えばネックにスナップ嵌合される。回転部材は、支持要素上で軸方向に保持されながら、回転軸の周りで支持要素に対して回転可能であってよい。
【００１５】
軸部は結合部分の下に、アプリケータが容器に係合され、回転部材がロック位置にあるときに、容器を気密式に閉じるように構成された密閉部分を備えてよい。
【００１６】
器具は、容器のネックに固定された拭き取り部材を備えてよい。拭き取り部材は、軸部の密閉部分を少なくとも部分的に収容するように構成された上部を有する開口を備えてよい。密閉部材は好ましくはエラストマー材料で作製される。
【００１７】
開口の上部の最大の横方向の寸法は、アプリケータの長手方向軸に沿って観察したとき、密閉部分の最大の横方向の寸法と等しいか、またはそれよりわずかに小さい場合がある。
【００１８】
結合部分は、少なくとも１つの、より好適には２つのリブを備えてよく、これらは軸部の中央の面を中心に他方に対して対称的なものであってよい。少なくとも１つのロック部材は、回転部材がロック位置に近づくとき、対応するリブの上面を押圧するように構成されてよい。
【００１９】
好ましくは、各々のリブは、アプリケータ部材の中央の面に対して対称である。
【００２０】
好ましくは、各々のリブは、アプリケータの半径方向に沿って測定された深さを有し、これはリブの中心部に近づくにつれて大きくなり、リブの両端に近づくにつれて小さくなる。リブの深さはその端部においてゼロである場合もある。
【００２１】
各々のリブの上面が、１つの面内に含まれない場合もある。例えばロック部材がロック位置に近づくとき、それが密閉部分をさらに拭き取り部材に当たるように押すように、リブの上面は傾斜路を形成することができ、これにより密閉の緊密性を高めることができる。そのうえ、このような構成のおかげで、ロック部材がアンロック位置に達したとき、密閉部材が拭き取り部材に対して押し当てられるときに拭き取り部材内に生じる弾性の拘束の解放の作用の下にアプリケータが容器から部分的に引き出される。それ故、器具のエルゴノミクスが改善される。
【００２２】
各々のロック部材は、回転軸に向かって内向きに向けられた突出部によって構成されてよい。
【００２３】
軸部は、密閉部分とアプリケータ部材の間のその長さの少なくとも一部分に沿って、アプリケータの長手方向軸に直交するように切り取られた断面を有してよく、これは非円形形状、好ましくは伸長軸に沿って細長い形状、例えば矩形または楕円形を有する場合がある。
【００２４】
拭き取り部材は、拭き取りスロットを画定する下部を有してよい。これにより、アプリケータ部材がそれに対応する平坦な形状の断面を有する場合、より適切な拭き取り作業を実現することが可能になる。
【００２５】
別の態様において、本発明は、上記で定義したように本発明による包装およびアプリケータ器具を用いて、人のケラチン物質に化粧品を塗布するための方法を提供し、この方法は、容器の中にアプリケータを差し込むステップと、容器に対して回転部材を回転させることで、器具のロック位置においてロック部材を結合部分と係合させるステップとを含む。
【００２６】
本発明は、添付の図面を参照してその実装形態の非制限的な例の以下の記載を読むことからよりよく理解されるであろう。
【図面の簡単な説明】
【００２７】
【図１（ａ）】ロック位置にある本発明による器具を示す図である。
【図１（ｂ）】アンロック位置にある本発明による器具を示す図である。
【図１（ｃ）】器具をアンロックした後の図１（ａ）および図１（ｂ）の器具を示す図である。
【図１（ｄ）】本発明によるアプリケータを示す図である。
【図２】ロック位置にある本発明による器具の概略断面図である。
【図３】図２の拭き取り部材を示す図である。
【図４（ａ）】図２の回転要素の底面図である。
【図４（ｂ）】面ＩＶに沿った図４（ａ）の断面斜視図である。
【図５（ａ）】図２の支持要素の斜視図である。
【図５（ｂ）】図２の支持要素の底面図である。
【図６】図４（ｂ）と同じ見方における、回転要素の回転運動の終わりにおける図４（ａ）および図５（ａ）の回転要素と支持要素の協働を示す図である。
【図７】アプリケータの長手方向軸に沿って観察した図２のアプリケータ部材を示す図である。
【図８（ａ）】アプリケータの長手方向軸の周りで切り取った結合部分の拡大図である。
【図８（ｂ）】アプリケータの長手方向軸の周りで切り取った結合部分の拡大図である。
【図８（ｃ）】アプリケータの長手方向軸の周りで切り取った結合部分の拡大図である。
【図９】図２のアプリケータおよび回転部材を分離した図である。
【図１０】本発明による器具の一変形形態の分解組立図である。
【発明を実施するための形態】
【００２８】
本発明による人のケラチン物質に化粧品を塗布するための器具２０の一例が図１（ａ）から図１（ｄ）に示されている。
【００２９】
器具２０は、塗布すべき製品を中に含む容器１２と、保管される間容器１２内に収容されるように構成されたアプリケータ１０と、を備える。
【００３０】
アプリケータ１０は、図１（ｄ）に示されるように、近位側に把持部分１６を備え、遠位側にアプリケータ部材２６を備える。アプリケータ部材２６は、アプリケータ１０の長手方向軸Ｘに沿って延在する軸部６を介して把持部分１６に接続される。
【００３１】
アプリケータ部材２６は、軸部６にオーバーモールドされる、またはそれ以外の方法でそこに固定されてよい。
【００３２】
アプリケータ部材２６は、図１（ｄ）に示されるように、例えば平坦な形状のマスカラブラシである１つの塗布面２７を有してよい。
【００３３】
軸部６は、図２に示されるように、把持部分１６の対応する筐体に挿入されるように構成された端部部分を介して把持部分１６に接続されてよい。
【００３４】
容器１２は、本体２と、開口を画定するネック２２と、を備える。容器の本体２は、ネックと共に１つの部品に成型される場合もある。
【００３５】
容器１２はさらに、拭き取り部材３、支持要素５、および回転部材４を備える。
【００３６】
拭き取り部材３は、ネックの軸を囲んで配向されるように固定され、例えばネック２２にスナップ嵌合される。拭き取り部材３は、２つの対向するタブ３３を備え、これらは、ネック２２上に設けられた平行なリブ２４と、軸部を本体２の中に差し込むための開口３５を画定する主本体３０との間に形成された対応する筐体に挿入される。
【００３７】
図３に見ることができるように、開口３５は、円形の上部３８と、内側リップ３７を備える下部とを有してよく、この内側リップは、図２に見ることができるように、アプリケータの長手方向軸Ｘに少なくとも一部が平行に延在して拭き取りスロット３９を画定している。
【００３８】
図４（ａ）および図４（ｂ）に示されるように回転部材４は、管状スカート４０を備え、これは回転軸Ｚの周りで回転可能であり、かつその頂端部において半径方向内向きに延在する上部鍔４３を有する。スカート４０は、ロック部材４１を構成する２つの正反対に対向する突出部を担持している。ロック部材４１は、上部鍔４３の軸方向下方に配置され、回転軸Ｚに向かって半径方向内向きに突出する。それらは、上部鍔４３の内側縁部４９の半径に近い軸Ｚからある半径方向距離のところに据えられる。
【００３９】
支持要素５は図５（ａ）に示されるように、管状スリーブ５０を備える。環状ビード５１が管状スリーブ５０の下方端部付近にその外側面上に配置される。支持要素５は、図２に図示されるように容器１２のネック２２にスナップ嵌合される。図４（ａ）および図４（ｂ）に図示されるように回転部材４は、内側面４６上に、環状ビード５１にスナップ嵌合される弓形の歯４４を備える。
【００４０】
図５（ａ）に示されるように、支持要素５は、半径方向内向きに延在する横方向の壁５３を備える。内側の隆起部５２が横方向の壁５３から上向きに突き出し、回転軸Ｚに平行に延在している。
【００４１】
図６に示されるように内側の隆起部５２は、２つの対向する高くなった部分５８を備え、これらは、回転部材４の回転運動が、器具をロック位置またはアンロック位置のいずれかに動かすとき、ロック部材４１を停止させるように構成される。
【００４２】
管状スリーブ５０は、環状ビード５１より上に、各々が突起５６を備えた２つの対向する可撓性のタブ７７を備える。図６に見ることができるように、回転部材４には、管状スカート４０の内側面の周りに規則的に離間された４つの軸方向のリブ４２が内側に備わっている。アプリケータがロック位置、アンロック位置にそれぞれ近づくとき、突起５６は、ロック部材４１がそれぞれの高くなった部分５８に当接する前に、タブ７７の弾性の変形のおかげで対応するリブ４２を通り抜けるように構成される。このようにして、回転部材４をロック位置またはアンロック位置に安定して維持するクリップ作用がもたらされる。
【００４３】
タブ７７は、スリーブ５０の残りの部分と共にＵ字型スロット５５を画定する。
【００４４】
図４（ａ）に示されるように、管状スカート４０は、断面が細長い形状であり、その細長い両端に近づくにつれて厚さが増大する壁を有する。管状スカート４０は、厚さが最大である対向する壁部分それぞれの中に２つの内側の空洞４５を備える、
【００４５】
管状スリーブ５０はさらに、その下方端部付近に、図３に見ることができる容器１２の肩部２５に設けられた対応する突起２９の上を摺動するように構成されたノッチ５９を備える。これにより支持要素５の容器１２に対する回転運動を阻止する。
【００４６】
管状スリーブ５０はまた、図５（ｂ）に示されるように、横方向の壁５３の下面に、支持要素５がネック２２に取り付けられる際にネック２２のリブ２４のそれぞれの側面に当接するように構成された４つの当接部５４を備える。
【００４７】
図２に図示されるように、軸部６は、器具がロック位置にあるとき、拭き取り部材３の開口３５の中に少なくとも一部が載る密閉部分６３を備える。密閉部分６３は、図７に示されるようにアプリケータ１０の長手方向軸Ｘに沿って観察したとき、円形の断面を有してよい。密閉部分６３は、開口３５の上部３８の直径と等しいかまたはそれよりわずかに大きな直径を有することで、閉鎖構成における器具の適切な気密式の密閉作用を保証することができる。密閉部分６３は、アプリケータ部材２６に向かってわずかに先細になることで、使用後にアプリケータ１０が容器１２に再度差し込まれる際にアプリケータが開口３５に入り易くし、閉鎖構成における器具の緊密性を改善する。
【００４８】
密閉部分６３とアプリケータ部材２６の間の少なくともその長さの一部にわたって、軸部６は図７に図示されるように伸長軸Ｙに沿って細長い形状の断面、好ましくは開口３５の下部３９と同じ形状の断面を採ることができる。これは、回転要素４が作動する間、アプリケータ１０の回転を阻止するのに役立つ。
【００４９】
容器１２の本体２および回転部材４は共に、軸部と同一の伸長軸に沿って細長くなった外側断面を有してよい。
【００５０】
回転要素４の環状スカート４０は、図１（ａ）から図１（ｃ）の実施形態に図示されるように、細長い、例えば楕円形の断面を有する場合がある。
【００５１】
容器１２の本体２は、回転部材４と同一の形状の断面を有することで、アプリケータがロック位置にあるとき、本体２が環状スカート４０の継続部の中に延出することができる。非円形の断面の回転部材４は、器具がロック位置にあるかアンロック位置にあるかをユーザが容易に特定できるようにするという利点を有する。これはまた、ユーザが回転部材４を回転し易くもする。
【００５２】
軸部の把持部分１６は、図１（ａ）から図１（ｄ）の実施形態に図示されるように非円形の形状を有してよい。例えば把持部分１６は、平坦な形状を有し、軸部６の伸長軸Ｙに直交する軸Ｑに沿って細長い形状の断面を有する。これにより、製品を塗布するためにアプリケータ１０を把持し易くすることができる。
【００５３】
軸部６はさらに、密閉部分６３より上に据えられた結合部分６４を備える。結合部分６４は２つのリブを備える。
【００５４】
図７に図示されるようにリブ６４は、軸部６の伸長軸Ｙに平行なアプリケータ部材２６の中央の面に対して対称である。各々のリブ６４は、軸部６の伸長軸Ｙに直交するアプリケータ部材２６の中央の面に対して対称である。
【００５５】
各々のリブ６４は、アプリケータ部材の半径方向に測定された深さｒを有し、これは最大値に達するまでリブ６４の一端６７から増大し、その後他端６７に向かって小さくなる。深さｒは、１０度から５０度、さらに適切には５度から２５度まで変動する角度αにわたって延在するリブ６４の中央の角度を成す扇形部分Ｓにわたって一定のままである。
【００５６】
図示される実施形態において、回転部材のロック位置とアンロック位置とは、９０度の角度だけずらされている。
【００５７】
好ましくはリブ６４の両端６７は、図７に図示されるように軸部６の伸長軸Ｙに沿って据えられる。
【００５８】
リブ６４の上面６９は、図８（ａ）から図８（ｃ）に示されるように、アプリケータ１０の長手方向軸Ｘを囲んで弓形の外形を呈する場合がある。突出部４１がロック位置に近づくとき、リブ６４の上面６９の傾斜がアプリケータ１０を容器の底部に向けて押す。
【００５９】
軸部６はさらに、リブ６４より上に縁６５を備える。縁６５の下面７０とリブ６４の上面６９の間の距離ｄは、ロック部材４１の高さｈより大きい。
【００６０】
縁６５は好ましくは、図７に図示されるように、アプリケータ１０の長手方向軸Ｘに沿って観察したとき、円形の輪郭を有する。縁６５は、一定の深さＲを有してよい。好ましくはリブ６４の最大の深さｒｍａｘは、縁６５の深さＲと等しい。
【００６１】
図１（ａ）に図示されるように、アプリケータ１０が容器１２内に収容される際、アプリケータ１０は、器具２０のロック位置において、回転軸Ｚに沿った並進に関して回転部材４によって阻止される。
【００６２】
この位置において、ロック部材４１は環状の扇形部分Ｓの範囲内でリブ６４に当接する。このような扇形部分Ｓの範囲内では、リブ６４の深さｒは、リブ６４がロック部材４１と係合することを可能にするのに十分な大きさであるため、図９に図示されるようにアプリケータ１０が容器１２から引き出されるのを阻止する。
【００６３】
器具をアンロックするには、図１（ｂ）に図示されるように、ユーザは回転部材４を９０度だけ回転軸Ｚの周りで回転させる。アプリケータ１０はもはや回転部材４によって阻止されず、密閉部材が拭き取り部材に対して押しつけられる際、拭き取り部材内に生じる弾性の拘束の解放によって、図１（ｂ）に図示されるようにアプリケータを部分的に容器から引き出す。アプリケータはその後、図１（ｃ）に図示されるように容器１２からさらに引き出すことができる。回転軸Ｚは、図示される実施形態では容器１２の長手方向軸Ｘである。
【００６４】
アンロック位置において、リブ６４の深さｒはゼロ、またはロック部材４１と係合するには小さすぎる深さである。アプリケータはその結果、回転軸Ｚに沿って自由に並進する。
【００６５】
図６に関して上記で説明したように、対向する高くなった部分５８が、ロック部材４１の最大の角度移動を規定する。
【００６６】
図１０に図示される変形形態では、把持部分１６は、容器１２の回転要素４のスカート４０のような円形形状を有する。
【００６７】
容器１２のネック２２は、例えばスナップ嵌合を介して本体２に組み付けられる。
【００６８】
リブの上面６９は、アプリケータ１０の長手方向軸Ｘに直交する面内に含まれる。
【００６９】
本発明は、図示される実施形態に限定されない。
【００７０】
アプリケータ部材は、２つの対向する塗布面を有する場合がある。
【００７１】
軸部６の結合部分６４は、上記に記載したものとは別の形状を採る場合もある。
【００７２】
軸部および／または把持部分は、他の形状、例えば多角形の断面を有する場合がある。
【００７３】
アプリケータ部材は、成型される場合があり、または発泡材、ペンシル、もしくは植毛されたアプリケータ部材を備える場合がある。例えばアプリケータは、マスカラブラシ、あるいはファンデーション、リップグロス、アイライナー、またはネイルポリッシュを塗布するためのアプリケータであってよい。
【符号の説明】
【００７４】
２  本体
３  拭き取り部材
４  回転部材
５  支持要素
６  軸部
１０  アプリケータ
１２  容器
１６  把持部分
２０  器具
２２  ネック
２４  リブ
２６  アプリケータ部材
２７  塗布面
３３  タブ
３５  開口
３７  内側リップ
３８  上部
３９  拭き取りスロット、下部
４０  管状スカート、環状スカート
４１  ロック部材
４２  リブ
４３  上部鍔
５０  管状スリーブ
５１  環状ビード
５２  隆起部
５３  横方向の壁
５４  当接部
５５  スロット
５６  突起
５８  高くなった部分
５９  ノッチ
６３  密閉部分
６４  結合部分
６５  縁
６７  端
６９  上面
７７  タブ
ｄ  距離
ｈ  高さ
ｒ  深さ
ｒｍａｘ  最大の深さ
α  角度
Ｑ  軸
Ｒ  深さ
Ｓ  扇形部分
Ｘ  長手方向軸
Ｙ  伸長軸
Ｚ  回転軸
【図１（ａ）】
2018191887.tif 000003
【図１（ｂ）】
2018191887.tif 000004
【図１（ｃ）】
2018191887.tif 000005
【図１（ｄ）】
2018191887.tif 000006
【図２】
2018191887.tif 000007
【図３】
2018191887.tif 000008
【図４（ａ）】
2018191887.tif 000009
【図４（ｂ）】
2018191887.tif 000010
【図５（ａ）】
2018191887.tif 000011
【図５（ｂ）】
2018191887.tif 000012
【図６】
2018191887.tif 000013
【図７】
2018191887.tif 000014
【図８（ａ）】
2018191887.tif 000015
【図８（ｂ）】
2018191887.tif 000016
【図８（ｃ）】
2018191887.tif 000017
【図９】
2018191887.tif 000018
【図１０】
2018191887.tif 000019
【外国語明細書】
2018191887000001.pdf